(57)【要約】      （修正有）【課題】基礎コンクリートの打設にあたり、事前に埋設するアンカーボルトを簡単に吊り下げるアンカーボルト吊り下げ具を提供する。【解決手段】仮型枠左Ｂ−仮型枠右Ｃ間で用いるアンカーボルトＡの吊り下げ具は、金属棒右１と金属棒左２からなり、一側に接着部３、くぼみ４、先端角５、返しツメ６を設け、他側に突起部７、指操作バネ８、枠受け９、枠受け操作部１０、指操作部１１を有する。径の異なるアンカーボルトＡを、金属棒左、金属棒右の間にセットし、金属棒左、金属棒右を指操作により、狭着させる事でアンカーボルトＡを締め付ける。【選択図】図２
0003164532.tif 000002
【実用新案登録請求の範囲】
【請求項１】
金属棒右１、金属棒左２、の一方に接着部３、以下双方に、くぼみ４、先端角５、返しツメ６、接着部３、の逆方向に、径の異なるアンカーボルトＡを狭着出来る間隔とコンクリート打設巾の長さを、もうけ、一方の金属棒右、に、突起部７、指操作バネ８枠受け９、枠受け操作部１０、の対向側、金属棒左の先端に、指操作部１１、により、径の異なる、アンカーボルトを吊り下げる、を特徴とした、アンカーボルト吊り下げ具。
【考案の詳細な説明】
【技術分野】
【０００１】  本考案はアンカーボルトを簡単に、仮型枠間にセットできる、アンカーボルト吊り下げ具に関するものである。
【背景技術】
【０００２】  従来の工具による、複数の操作箇所、付着物の清掃、等を簡単に行えるようにする、又、複数のコンクリート巾に対応すること。
【考案の開示】
【考案が解決しようとする課題】
【０００３】  複数の操作、付着物の清掃を簡素化させることを課題とする。
【課題を解決するための手段】
【０００４】  一個の物体として、複数の操作を簡素化させる、金属棒にする事で付着物を少量化させ、清掃しやすくする事で困難とする課題を解決する。
【考案の効果】
【０００５】  一個の物体とした金属棒の構成により、操作、清掃を簡素化させたことである。
【考案を実施する為の最良の形態】
【０００６】  以下本考案のアンカーボルト吊り下げ具の実施形態について、図面にもとずいて説明する、金属棒右１、金属棒左２、に、接着部３、以下双方に、くぼみ４、先端角５、返しツメに対して、操作側、の、金属棒右１に、突起部７、指操作部バネ８、枠受け９、枠受け操作部１の、対向側、金属棒左２の先端に、指操作部１１で構成されており、返しツメ６を仮型枠左Ｂの折り返し先端にかけ、回転させ、くぼみ６で圧力をかけ動止させ枠受け操作部１０を引き、枠受け９を、複数のコンクリート打設巾に合わせた仮型枠右Ｃの折り返し先端に放し動止さ径の異なるアンカーボルトＡを、金属棒右１、金属棒左２、の間にセットし、指操作バネ８に、指操作部１１を引き寄せ、突起部７に落とし込み狭着させる、又、金属棒Ａ、Ｂ、は、Ｂ、Ａの、どちらでも良い、以上が、アンカーボルト吊り下げ具を実施する為の最良の形態。
【図面の簡単な説明】
【０００７】
【図１】本考案の斜視図
【図２】本考案を広い巾で使用した状態を示す側面図
【図３】本考案を狭い巾で使用した状態を示す側面図
【符号の説明】
【０００８】１  金属棒右          ５  先端角            ９  枠受け
２  金属棒左          ６  返しツメ        １０  枠受け操作部
３  接着部            ７  突起部          １１  指操作部
４  くぼみ            ８  指操作バネ
Ａ  アンカーボルト    Ｂ  借型枠左          Ｃ  仮型枠右
【図１】
0003164532.tif 000003
【図２】
0003164532.tif 000004
【図３】
0003164532.tif 000005
【手続補正書】
【提出日】平成22年8月2日(2010.8.2)
【手続補正１】
【補正対象書類名】実用新案登録請求の範囲
【補正対象項目名】全文
【補正方法】変更
【補正の内容】
【実用新案登録請求の範囲】
【請求項１】
太さ約３ミリで、二本の硬質金属棒を双方に、約５０ミリの間隔を開け、双方の先端を４５°長さ約１０ミリのＶ字形の角度、返しツメ６を仮型枠左Ｂの折り返し部先端に、返しツメ６を掛け、折り返し部に沿って９０°の角、先端角５である、折り返し部の天場巾５０ミリ、その中間に、くぼみ４をテコとして、折り返し部側面約１５ミリ高さの微妙な寸法不足を補う、くぼみ４に続き借型枠左Ｂ内側上部と、双方の金属棒を中間に向く曲がりで、接触させ、仮型枠左Ｂに対し直角に曲げ、平列した始点に接着部３を約１０ミリもうけ、アンカーボルトＡを狭着する基点となる、その、接着部３移行金属棒右１と、金属棒左２は、約７ミリ巾から約１０°の角度で開き、金属棒左２は水平であり、金属棒右１は約１０°上向き角度であり、これは前記、くぼみ４に圧力を加えることである、次に、金属棒右１には打設する、コンクリート巾、１２０ミリ〜１５０ミリの後記１５０ミリ巾に配設される仮型枠右Ｃの天場巾５０ミリの内側上部に、金属棒右１側上に突起部７を高さ約１０ミリでもうけ、仮型枠右Ｃの天場外側上部に円形の指操作バネ８から仮型枠右Ｃの外周を下に約４０ミリ下がり、半円の角、指操作部１０から仮型枠右Ｃの内側にむけ約５０ミリの長さをとり、上回り小円で、外側に、外周を下がる金属棒まで枠受け９が、直線で伸びている、尚枠受け９は約５０ミリ巾で１２０ミリ〜１５０ミリ巾の巾差を前後で受ける事で補うのである、対する、金属棒左２は金属棒右１の突起部７の手前から金属棒右１の上、外回りに変形されている、その先端は、仮型枠右Ｃの天場の中間に円形の指操作部１１である、したがって、返しツメ６を仮型枠左Ｂの先端に掛け、回転を加え、枠受け操作部１０を引きながら枠受け９を仮方枠右Ｃの外部より差込み、金属棒右、左、間にアンカーボルトＡを差し込み、指操作バネ８に、指操作部１１を絞り、突起部７に落とし込む、
を特徴とした、アンカーボルト吊り下げ具。
【手続補正書】
【提出日】平成22年9月21日(2010.9.21)
【手続補正１】
【補正対象書類名】実用新案登録請求の範囲
【補正対象項目名】請求項１
【補正方法】変更
【補正の内容】
【請求項１】
太さ約３ミリで、二本の硬質金属棒を双方に、約５０ミリの間隔を開け、双方の先端を４５°長さ約１０ミリのＶ字形の角度、返しツメ６を仮型枠左Ｂの折り返し部先端に、返しツメ６を掛け、折り返し部に沿って９０°の角、先端角５である、折り返し部の天場巾５０ミリ、その中間に、くぼみ４をテコとして、折り返し部側面約１５ミリ高さの微妙な寸法不足を補う、くぼみ４に続き仮型枠左Ｂ内側上部と、双方の金属棒を中間に向く曲がりで、接触させ、仮型枠左Ｂに対し直角に曲げ、平列した始点に接着部３を約１０ミリもうけ、アンカーボルトＡを狭着する基点となる、その、接着部３移行金属棒右１と、金属棒左２は、約７ミリ巾から約１０°の角度で開き、金属棒左２は水平であり、金属棒右１は約１０°上向き角度であり、これは前記、くぼみ４に圧力を加えることである、次に、金属棒右１には打設する、コンクリート巾、１２０ミリ〜１５０ミリの後記１５０ミリ巾に配設される仮型枠右Ｃの天場巾５０ミリの内側上部に、金属棒右１側上に突起部７を高さ約１０ミリでもうけ、仮型枠右Ｃの天場外側上部に円形の指操作バネ８から仮型枠右Ｃの外周を下に約４０ミリ下がり、半円の角、指操作部１０から仮型枠右Ｃの内側にむ約５０ミリの長さをとり、上回り小円で、外側に、外周を下がる金属棒まで枠受け９が、直線で伸びている、尚枠受け９は約５０ミリ巾で１２０ミリ〜１５０ミリ巾の巾差を前後で受ける事で補うのである、対する、金属棒左２は金属棒右１の突起部７の手前から金属棒右１の上、外回りに変形されている、その先端は、仮型枠右Ｃの天場の中間に円形の指操作部１１である、したがって、返しツメ６を仮型枠左Ｂの先端に掛け、回転を加え、枠受け操作部１０を引きながら枠受け９を仮型枠右Ｃの外部より差込み、金属棒右、左、間にアンカーボルトＡを差し込み、指操作バネ８に、指操作部１１を絞り、突起部７に落とし込む、
を特徴とした、アンカーボルト吊り下げ具。
【手続補正２】
【補正対象書類名】明細書
【補正対象項目名】０００８
【補正方法】変更
【補正の内容】
【０００８】  １  金属棒右          ５  先端角            ９  枠受け
２  金属棒左          ６  返しツメ        １０  枠受け操作部
３  接着部            ７  突起部          １１  指操作部
４  くぼみ            ８  指操作バネ
Ａ  アンカーボルト    Ｂ  仮型枠左          Ｃ  仮型枠右